(57)【要約】      （修正有）【課題】洋風便器に固定された便座ユニットに対して後方へ押すような力が加えられたときにも、便座ユニットの後方へのずれを防止できる便座ユニットの取付装置を提供する。【解決手段】洋風便器の後方部の取り付け部に形成した２個のボルト挿通孔にボルト２１の螺子棒部２１Ｂを通し洋風便器の下方からナットをボルトの螺子棒部２１Ｂに装着して、所定位置にてナットの締め込みによって便座ユニットを洋風便器に固定するものにおいて、ボルトの頭部２１Ａの前後縁部には、下方へ延びた係止フランジ２４を設け、フランジ２４間に螺子棒部２１Ｂが挿通され、ナットの締め込みに伴ってスリット２０Ａの上縁部２２Ａに圧接する弾力性の摩擦板２５を設けた。【選択図】図８
2012147991.tif 000002
【特許請求の範囲】
【請求項１】
便座ユニットの底部の基板に洋風便器の前後方向に延在する２条平行のスリットが設けられ、前記スリットの左右上縁部にボルトの頭部が係止する状態で前記ボルトの螺子棒部が前記スリットを通って下方に延出され、洋風便器の後方部の取り付け部に形成した２個のボルト挿通孔に前記ボルトの螺子棒部を通し、前記洋風便器の下方からナットを前記ボルトの螺子棒部に装着して、所定位置にて前記ナットの締め込みによって前記便座ユニットを前記洋風便器に固定するものにおいて、前記ボルトの頭部の少なくとも前後縁部には下方へ延びた係止フランジを設け、前記螺子棒部が挿通される状態で前記前後の係止フランジ間に嵌め込まれ且つ前記ナットの締め込みに伴って前記スリットの上縁部に圧接する弾力性の摩擦板を設けたことを特徴とする便座ユニットの取り付け装置。
【請求項２】
前記摩擦板は前記前後の係止フランジよりも下方へ突出した厚さを有し、前記螺子棒部は前記前後の係止フランジよりも下方位置に前記ボルトの頭部との間に前記摩擦板の下面を支える支持突起を備え、前記摩擦板は前記前後の係止フランジよりも下方へ突出する状態に前記ボルトの頭部と前記支持突起との間に保持されたことを特徴とする請求項１に記載の便座ユニットの取り付け装置。
【請求項３】
前記ボルトは前記頭部、前記前後の係止フランジ、前記螺子棒部及び前記支持突起が合成樹脂にて一体成形されたものであり、前記摩擦板は前後が前記前後の係止フランジに当接したゴム製であることを特徴とする請求項１または２に記載の便座ユニットの取り付け装置。
【発明の詳細な説明】
【技術分野】
【０００１】
本発明は、便座ユニットを洋式便器上に取り付ける取り付け装置に関する。
【背景技術】
【０００２】
温水供給機構の温水をノズルから噴出する温水洗浄便座ボックスを洋式便器上にボルトによって取り付ける技術がある。この技術は、便座ボックス１の底部プレート２に洋風便器４の前後方向に延在するスリット３が２条平行に設けられており、このスリット３にボルト５の頭部が差し込まれ、ボルト５の螺子棒部５ｂがこのスリット３を通って下方に延出され、洋風便器４の便鉢４ａの後方部に形成した２個のボルト挿通孔４ｂにこのボルト５の螺子棒部５ｂを通し、洋風便器４の下方から半球パッキン８及びスリップワッシャ９を介してナット１０をボルト５に装着して、所定位置にてナット１０を締め込み、便座ボックス１を洋風便器４に固定する（例えば、特許文献１参照）。
【０００３】
これによって、特許文献１では、便座ボックス１の底部プレート２に２条平行に設けられたスリット３によって、洋風便器４に対して便座ボックス１の前後方向位置の調整ができるが、ナット１０の締め込みが甘くなったり、便座ボックス１に無理に大きな力が加えられたりしたときは、便座ボックス１が位置ずれを起こすことがあるため、これを防止するために、ボルト１０に替わりに、外管とその中に上方へ螺進可能な軸体を設けた特別なボルトを採用するものである。
【先行技術文献】
【特許文献】
【０００４】
【特許文献１】特開２００１−７０１９９号公報
【発明の概要】
【発明が解決しようとする課題】
【０００５】
特許文献１では、上記のように外管とその中に上方へ螺進可能な軸体が組み合わさったものであるため、外管はその内外にネジが切られた特別なボルトが必要となること、また、軸体の上端が当たるように便座ボックス１の底部プレート２に形成する当接板１４の部分も十分な強度を有する構成にしなければならない等の考慮が必要となる。
【０００６】
本発明は、特許文献１のような二重軸の特別なボルトを採用するのではなく、従来採用されているボルトの頭部の若干の改良によって、便座ユニット（便座ボックス１に対応する）に無理に大きな力が加えられたりしたときに生じる便座ユニットの位置ずれを防止することができる技術を提供するものである。
【０００７】
このため、本発明では、便座ユニットの底部の基板に前後方向に２条平行に設けられたスリットにボルトを通して、洋風便器に対して便座ユニットの前後方向位置の調整ができるように固定する場合、便座ユニットに無理に大きな力が加えられたりしたときにも、ボルトの頭部に設けた摩擦板によって、安定的に便座ユニットの位置ずれを防止できるようにするものである。
【課題を解決するための手段】
【０００８】
第１発明は、便座ユニットの底部の基板に洋風便器の前後方向に延在する２条平行のスリットが設けられ、前記スリットの左右上縁部にボルトの頭部が係止する状態で前記ボルトの螺子棒部が前記スリットを通って下方に延出され、洋風便器の後方部の取り付け部に形成した２個のボルト挿通孔に前記ボルトの螺子棒部を通し、前記洋風便器の下方からナットを前記ボルトの螺子棒部に装着して、所定位置にて前記ナットの締め込みによって前記便座ユニットを前記洋風便器に固定するものにおいて、前記ボルトの頭部の少なくとも前後縁部には下方へ延びた係止フランジを設け、前記螺子棒部が挿通される状態で前記前後の係止フランジ間に嵌め込まれ且つ前記ナットの締め込みに伴って前記スリットの上縁部に圧接する弾力性の摩擦板を設けたことを特徴とする。
【０００９】
第２発明は、第１発明において、前記摩擦板は前記前後の係止フランジよりも下方へ突出した厚さを有し、前記螺子棒部は前記前後の係止フランジよりも下方位置に前記ボルトの頭部との間に前記摩擦板の下面を支える支持突起を備え、前記摩擦板は前記前後の係止フランジよりも下方へ突出する状態に前記ボルトの頭部と前記支持突起との間に保持されたことを特徴とする。
【００１０】
第３発明は、第１発明または第２発明において、前記ボルトは前記頭部、前記前後の係止フランジ、前記螺子棒部及び前記支持突起が合成樹脂にて一体成形されたものであり、前記摩擦板は前後が前記前後の係止フランジに当接するゴム製であることを特徴とする。
【発明の効果】
【００１１】
第１発明では、便座ユニットの通常使用状態では、摩擦板がスリットの上縁部に圧接する状態に保持されていて、便座ユニットを洋風便器上の所定位置に保持している。そして、便座ユニットへの着座などによって無理に大きな力が加えられたときには、便座ユニットが後方へ移動しようとする作用力が摩擦板に働く。この場合、前後係止フランジが存在しない場合は、便座ユニットが後方へ移動しようとする作用力によって、摩擦板がめくれて破断する状態となり、便座ユニットを洋風便器上の所定位置に保持することができなくなる。しかし、本発明では、前後係止フランジの存在によって、摩擦板のめくれを防止できるため、便座ユニットの後方への移動を防止でき、摩擦板の破断も防止できるものとなり、便座ユニットを洋風便器上の所定位置に保持することができることとなる。
【００１２】
第２発明は、螺子棒部の支持突起を乗り越えて摩擦板を差し込みボルトの頭部に当接させる。この状態で、摩擦板が前後係止フランジよりも下方へ突出した状態となり、ボルトの頭部と支持突起との間に保持される。このため、前後係止フランジによる悪影響を受けない状態で、ナットの締め込みによって摩擦板がスリットの上縁部に圧接して、便座ユニットを洋風便器上の所定位置に保持できる。また、便座ユニットに後方へ移動しようとする作用力が働いても、前後係止フランジの存在によって、摩擦板のめくれを防止できるため、便座ユニットの後方への移動を防止でき、摩擦板の破断も防止できるものとなり、便座ユニットを洋風便器上の所定位置に保持することができることとなる。
【００１３】
第３発明は、ボルトは、頭部、前後係止フランジ、螺子棒部及び支持突起が合成樹脂にて一体成形されたものであり、ゴム製の摩擦板との組み合わせによって、部品点数が少ない状態でボルトと摩擦板との取り付け関係を常に正規状態にできること、また、便座ユニットを洋風便器上の所定位置に固定するための部品点数も少なく、便座ユニットの取り付け及び取り外しがし易くなるという効果を奏しつつ、上記の第１発明及び第２発明の効果を奏するものとなる。
【図面の簡単な説明】
【００１４】
【図１】本発明に係る温水洗浄便座装置の蓋が閉まった状態の斜視図である。
【図２】本発明に係る温水洗浄便座装置の蓋と機能部分のカバーを取り外した状態の機能部分と制御ボックスを示す正面斜視図である。
【図３】本発明に係る便座ユニットの洋風便器上への取り付け構成を示す分解斜視図である。
【図４】本発明に係る便座ユニットの下方から見た斜視図である。
【図５】本発明に係る便座ユニットと取り付けボルトの関係を示す下方から見た斜視図である。
【図６】本発明に係るボルトと摩擦板との関係を示す下方から見た分解斜視図である。
【図７】本発明に係るボルト、摩擦板、及び便座ユニットの基板との関係を示す断面図である。
【図８】本発明に係る便座ユニットが前後方向移動する場合のボルト、摩擦板、及び便座ユニットの基板との関係を示す断面図である。
【発明を実施するための形態】
【００１５】
本発明は、便座ユニットの底部の基板に洋風便器の前後方向に延在する２条平行のスリットが設けられ、このスリットの上縁部にボルトの頭部が係止する状態でボルトの螺子棒部がこのスリットを通って下方に延出され、洋風便器の後方部の取り付け部に形成した２個のボルト挿通孔にこのボルトの螺子棒部を通し、洋風便器の下方からナットをボルトの螺子棒部に装着して、所定位置にてナットの締め込みによって便座ユニットを洋風便器に固定するものにおいて、前記ボルトの頭部の少なくとも前後縁部には下方へ延びた係止フランジを設け、前記螺子棒部が挿通される状態で前記前後の係止フランジ間に嵌め込まれ且つ前記ナットの締め込みに伴って前記スリットの上縁部に圧接する弾力性の摩擦板を設けたものであり、以下に本発明の実施例を記載する。
【実施例１】
【００１６】
本発明の実施形態について説明する。図において、１は本発明の便座ユニットを示しており、便座ユニット１は、後述のように洋式便器７の上面に取り付けられるものである。便座ユニット１は、裏側から絶縁被覆されたコードヒータ（図示せず）で加温される便座２と、便座２の上面を覆う開閉蓋３と、便座２及び開閉蓋３の後方に位置して機能部８を配置すると共に便座２及び開閉蓋３を開閉回動可能に支持する便座本体部４を備えている。
【００１７】
便座本体部４は、底部の合成樹脂製基板５と、基板５上に取り付けた機能部８を着脱自在に覆う合成樹脂製カバー６とで構成している。機能部８は、洗浄ノズル９として便座２の後部下側へ延びるように配置したおしり（肛門）洗浄用ノズル９Ａとビデ洗浄用ノズル９Ｂ、上水道水管に接続される上水道水導入パイプ１９を介して上水道水が導入される温水タンク１０、電装部１１、電動機装置１２及び１３等の機能部品で構成されている。蓋３の後端部の駆動側（図では右側）は、基板５に支持部材を介して取り付けた電動機装置１２によって往復回転する回転軸１２Ａには、蓋３が上方に開閉回動可能に取り付けられている。また、便座２の後端部の駆動側（図では左側）は、基板８に取り付けた電動機装置１３によって往復回転する回転軸１３Ａに取り付けられて、便座２が上方に開閉回動可能である。温水タンク１０に内蔵した加熱用シーズヒータにより温水タンク１０内に温水が生成される。
【００１８】
便座本体部４には、便座２の側方（図では右側）に配置した上面開口の制御ボックス１４が連結されている。制御ボックス１４内には、おしり（肛門）洗浄用ノズル９Ａとビデ洗浄用ノズル９Ｂによる洗浄開始、洗浄停止等の各種の制御を行うスイッチＳＷを取り付けた絶縁性基板１５を内蔵している。制御ボックス１４の上面開口はカバー１６で覆われ、カバー１６の上面はスイッチＳＷの手動操作部１７を構成する可撓性薄板１８で覆われ、手動操作部１７を押すことによって対応したスイッチＳＷが作動する。
【００１９】
便座ユニット１は洋式便器７の上面に取り付けられるものであり、そのために、便座ユニット１の底部の基板５、即ち、便座本体部４の底部の基板５には、洋風便器７の前後方向に延在する２条平行のスリット２０Ａ、２０Ｂが便座本体部４の後方に開放されるように設けられている。このスリット２０Ａ、２０Ｂには、取り付け用ボルト２１が前後移動可能に支持されている。このため、スリット２０Ａ、２０Ｂの左右の上縁部２２Ａ、２２Ｂに、取り付け用ボルト２１の矩形状の頭部２１Ａの左右両側部が係止する状態で、ボルト２１の螺子棒部２１Ｂがこのスリット２０Ａ、２０Ｂを通って下方に延出されるように組み合わされ、この状態で、ボルト２１はスリット２０Ａ、２０Ｂに沿って前後移動可能である。
【００２０】
このようにボルト２１がスリット２０Ａ、２０Ｂに沿って前後移動可能状態を確保した状態で、スリット２０Ａ、２０Ｂ及びボルト２１の頭部２１Ａを覆うカバー部２３が、合成樹脂製基板５に一体形成されている。基板５は、温水タンク１０等の部分から万一漏水した場合にも、その漏水を基板５で受け基板５の一部に形成した排水部から洋式便器７内へ流出させるために、皿状に成形されている。このため、この基板５で受けた漏水がスリット２０Ａ、２０Ｂを通って洋式便器７の外へ流出することを防止するために、カバー部２３が形成されている。
【００２１】
ボルト２１の頭部２１Ａの少なくとも前後縁部には、下方へ延びた係止フランジ２４を設け、頭部２１Ａの下側には、ボルト２１の螺子棒部２１Ｂが挿通される弾力性の摩擦板２５が、前後の係止フランジ２４、２４に当接または略当接する状態で前後の係止フランジ２４、２４間に嵌め合わされている。摩擦板２５は天然ゴムまたは合成ゴムで構成されたゴム製の平板状であり、ボルト２１の頭部２１Ａの矩形状と類似の矩形状をなしている。
【００２２】
摩擦板２５は、頭部２１Ａの下側に当接した状態で、前後係止フランジ２４よりも下方へ突出した厚さを有する。螺子棒部２１Ｂには、前後係止フランジ２４よりも下方位置に、ボルト２１の頭部２１Ａとの間に摩擦板２５の下面を支える支持突起２６を備えている。この構成によって、摩擦板２５は、その中央部の貫通孔に螺子棒部２１Ｂが挿通され、支持突起２６を乗り越えて頭部２１Ａの下側に当接した状態で、前後の係止フランジ２４間に嵌め合わされる。その状態で、摩擦板２５は前後の係止フランジ２４よりも下方へ突出する状態に、ボルト２１の頭部２１Ａと支持突起２６との間に保持される。
【００２３】
洋式便器７の後方部の取り付け部７Ａには、２個のボルト挿通孔２４が上下方向に貫通形成されている。スリット２０Ａ、２０Ｂのそれぞれ左右の上縁部２２Ａ、２２Ｂにボルト２１の頭部２１Ａが係止する状態で、ボルト２１の螺子棒部２１Ｂがこのスリット２０Ａ、２０Ｂを通って下方に延出されるように組み合わせた状態の便座ユニット１を準備する。この便座ユニット１は、２本のボルト２１の螺子棒部２１Ｂが対応するボルト挿通孔２４を通るように、便座ユニット１の基板５を洋式便器７の後方部の取り付け部７Ａに仮に載置される。この場合、洋式便器７の便鉢７Ｂの先端７Ｂ１に対して便座２が正規位置となるように位置調整を行なうために、図８に矢印Ｙ及びＳで示すように、ボルト２１の螺子棒部２１Ｂがスリット２０Ａ、２０Ｂ内で前後に移動する状態で便座ユニット１を前後に移動させ、所定位置にボルト２１を定めた状態で、取り付け部７Ａへ便座ユニット１が正規に載置される。スリット２０Ａ、２０Ｂの左右の基板５の下面には、滑り止め用の小さな突起２７が一体形成されている。
【００２４】
このように正規の位置に便座ユニット１を取り付け部７Ａへ載置した状態で、取り付け部７Ａの下方へ延出したそれぞれのボルト２１の螺子棒部２１Ｂに、それぞれ台円錐形状のゴム製等のブッシュ２８とその下側にワッシャ２９を通し、その状態でそれぞれのボルト２１の螺子棒部２１Ｂに合成樹脂製のナット３０を螺着する。このナット３０の螺着によって、摩擦板２５がスリット２０Ａ、２０Ｂの左右の上縁部２２Ａ、２２Ｂを押しつつ圧縮され、滑り止め用の小さな突起２７が洋式便器７の取り付け部７Ａに圧接した状態に便座ユニット１が洋式便器７の上面に取り付けられる。
【００２５】
この取り付け状態において、摩擦板２５がスリット２０Ａ、２０Ｂの左右の上縁部２２Ａ、２２Ｂに圧接していることにより、便座２に着座して通常の使用がなされる場合は、便座ユニット１が洋式便器７の上面に取り付けられた正規の状態を保持できる。
【００２６】
しかし、便座２に着座する際に便座ユニット１を後方へ押すような無理に大きな力が加えられたりしたとき、便座ユニット１の基板５が取り付け部７Ａの後方へずれようとし、ボルト２１の頭部２１Ａに設けた摩擦板２５にその作用力が加わる。この場合、前後の係止フランジ２４が存在しない場合は、便座ユニット１が後方へ移動しようとする作用力によって、摩擦板２５がめくれて破断する状態となり、便座ユニット１を洋風便器５上の所定位置に保持することができなくなる。しかし、本発明では、摩擦板２５が、前後の係止フランジ２４、２４に当接または略当接する状態で前後の係止フランジ２４、２４間に嵌め合わされている。このため、便座ユニット１を洋風便器５に取り付けた状態では、摩擦板２５は、前後の係止フランジ２４、２４に当接する状態となり、摩擦板２５がめくれようとしても前後の係止フランジ２４、２４によってそれが阻止され、めくれが防止できることとなり、便座ユニット１の後方への移動を防止でき、摩擦板２５の破断も防止できるものとなり、便座ユニット１を洋風便器５上の所定位置に保持することができることとなる。
【００２７】
上記の構成において、ボルト２１は頭部２１Ａ、前後係止フランジ２４、螺子棒部２１Ｂ及び支持突起２６が合成樹脂にて一体成形されたものであるため、ボルト２１と摩擦板２５との取り付け関係を常に正規状態にできること、また、便座ユニット１を洋風便器５上の所定位置に固定するための部品点数も少なく、便座ユニット１の取り付け及び取り外しがし易くなる、という効果が得られる。
【００２８】
便座ユニット１の下面や洋式便器７の上面を清掃する場合や、便座ユニット１を交換する場合は、それぞれのナット３０を緩め且つ外した状態で、便座ユニット１を洋式便器７から取り外せば、その清掃や交換が行なえる。
【００２９】
上記のように、便座ユニット１に加わる前後方向の大きな作用力によって、洋風便器７に対して便座ユニット１が前後方向に移動しないようにするために、前後係止フランジ２４が必要であるが、実施例では、前後係止フランジ２４の補強と、ボルト２１への摩擦板２５の取り付けを考慮して、図６に示すように、この前後係止フランジ２４を連結するように前後方向に延びた連結フランジ２４Ａを頭部２１Ａの一側に一体形成している。
【産業上の利用可能性】
【００３０】
本発明は、便座ユニット１や洋式便器７の形態は、上記実施例に示した図示の形態に限らず、本発明の技術範囲において、種々の構成を包含するものである。
【符号の説明】
【００３１】
１・・・・・便座ユニット
２・・・・・便座
３・・・・・開閉蓋
４・・・・・便座本体部
５・・・・・基板
６・・・・・カバー
７・・・・・洋式便器
８・・・・・機能部
９・・・・・洗浄ノズル
９Ａ・・・・おしり洗浄ノズル
９Ｂ・・・・ビデ洗浄ノズル
１０・・・・温水タンク
１１・・・・電装部
１２・・・・電動機装置
１３・・・・電動機装置
２０Ａ、２０Ｂ・・・・スリット
２１・・・・取り付けボルト
２１Ａ・・・ボルトの頭部
２１Ｂ・・・ボルトの螺子棒部
２２Ａ、２２Ｂ・・・・スリットの左右上縁部
２４・・・・前後係止フランジ
２５・・・・摩擦板
２６・・・・支持突起
２７・・・・滑り止め突起
２８・・・・ブッシュ
２９・・・・ワッシャ
３０・・・・ナット
【図１】
2012147991.tif 000003
【図２】
2012147991.tif 000004
【図３】
2012147991.tif 000005
【図４】
2012147991.tif 000006
【図５】
2012147991.tif 000007
【図６】
2012147991.tif 000008
【図７】
2012147991.tif 000009
【図８】
2012147991.tif 000010